(57)【要約】【課題】建築物の開口部に対する窓枠の設置を容易にするとともに、かつ、シール作業を簡単に行えるようして、施工性を向上させる。【解決手段】  横枠が樹脂製のプレート部材と金属製のレール部材とからなり、レール部材は、内障子走行部と外障子走行部と内外障子走行部を連結する連結プレート部とからなる。【選択図】図３
2016050475.tif 000002
【特許請求の範囲】
【請求項１】
横枠が樹脂製のプレート部材と金属製のレール部材とからなり、
レール部材は、内障子走行部と外障子走行部と内外障子走行部を連結する連結プレート部とからなる
ことを特徴とするサッシ。
【発明の詳細な説明】
【技術分野】
【０００１】
本発明は、建築物の外壁の開口部に取付けられるサッシに関する。
【背景技術】
【０００２】
従来より、サッシを二重とすることにより、防音性、断熱性を向上させることが行われており、特に、既設の窓の室内側に新たに内窓を設けて二重窓（サッシ）とすることも知られている。（特許文献１）
【先行技術文献】
【特許文献】
【０００３】
【特許文献１】特開２００８−３０３６０９公報
【発明の概要】
【発明が解決しようとする課題】
【０００４】
上記特許文献１の二重窓は、既設の障子枠を撤去することなく、室内側に新たに障子枠を設けることにより二重窓にすることができるので、大掛かりな工事が必要なく、比較的簡単に窓の二重化を行うことができる。
ところで、上記特許文献１に記載された二重窓のように、室内側窓を後付する場合には、建築物の開口部の室内側の額縁等の内周面に上下及び縦枠を設置することとなる。
開口部の内周面に上下及び縦枠を設置するには、上下及び縦枠を四周に組んだのちに開口部に配置することが考えられるが、その場合は、施工が大掛かりで手間がかかった。また、開口部の内周面に縦枠を固定した後に横枠を縦枠間に配置しようとすると、横枠には案内レールが形成されているので、横枠を撓ませて縦枠間に配置することが難しく、配置時に横枠との干渉を避けるために縦枠の内周方向へ突出する突出部を横枠の当接部付近において大きく切欠くか、横枠の両端の見込み方向中央部に縦枠の突出部を逃がす切欠きを形成する必要があり、施工性が悪いものであった。さらに、縦枠と横枠の突合わせ部において、縦枠には突出部が存在するとともに下枠にはレールや切欠きが存在することとなり、形状が複雑になってシール作業も難しかった。
本発明は、上記事情を鑑みたものであり、建築物の開口部に対する窓枠の設置を容易にするとともに、かつ、シール作業を簡単に行えるようして、施工性を向上させることを目的とするものである。
【課題を解決するための手段】
【０００５】
本発明は、横枠が樹脂製のプレート部材と金属製のレール部材とからなり、レール部材は、内障子走行部と外障子走行部と内外障子走行部を連結する連結プレート部とからなることを特徴とする。
【発明の効果】
【０００６】
横枠が樹脂製のプレート部材と金属製のレール部材とから構成されているので、プレート部材を平板状の部材として形成することができ、建築物の開口部の左右縦枠間に設置する際に、樹脂製のプレート部材を撓ませたりして左右縦枠間に配置し、後にレール部材をプレート部材に載置して施工することができるので、左右縦枠の内周方向に突出する突出部の切欠きが小さくできるなど、左右縦枠の工作を軽減することができる。    
また、樹脂製のプレート部材と縦枠間との間をシールした後に、レール部材を載置して取り付けることができるので、縦枠内周面に対する下枠の樹脂プレート部材の当接部の形状が複雑にならず、シール作業を簡単に行うことができ、施工性を向上させることができる。さらに、レール部材が金属製なので、障子戸車との摩擦による磨耗がない。
【図面の簡単な説明】
【０００７】
【図１】本発明のサッシを建物の開口部に取付けた状態を示す縦断面図である。
【図２】本発明のサッシを建物の開口部に取付けた状態を示す横断面図である。
【図３】本発明のサッシの下枠部分の縦断面図である。
【図４】本発明のサッシの下枠部分を構成する部材の説明図で有り、（ａ）は、下枠アタッチメントの断面図及び平面図、（ｂ）は、プレート部材の断面図及び平面図、（ｃ）は、レール部材の断面図及び平面図である。
【図５】本発明のサッシを建築物の開口部に取付け方法を説明する図であり、縦枠の取付けを説明する図である。
【図６】本発明のサッシを建築物の開口部に取付け方法を説明する図であり、下枠の取付けを説明する図である。
【図７】本発明のサッシを建築物の開口部に取付け方法を説明する図であり、上枠の取付けを説明する図である。
【発明を実施するための形態】
【０００８】
−サッシの構成−
図１乃至４を参照しながら、本発明の実施形態のサッシの枠体を説明する。
（全体の構成）
本発明の実施形態のサッシは、図１に示されるように、例えば浴室の開口部に設けられた既設の外窓Ａに対して、その室内側に新たに設置する内窓として利用することができるサッシであり、上枠１１、下枠１２及び右、左縦枠１３，１４からなる枠体１に対して、上、下框及び左右縦框を四周に組んでその内周にパネルが嵌め込まれてなる内、外障子２，３をスライド自在に支持することにより構成される引違い式のサッシである。
【０００９】
（上枠、及び、左右縦枠の構成）
サッシの枠体１を構成する樹脂製の上枠１１は、建物開口部に固定されるベース部１１ａを備え、ベース部１１ａの下面には、内、外案内レール（内、外障子走行部）１１ｂ、１１ｃが垂下されて設けられている。そして、ベース部１１ａの一端部には切欠ｂ（図７参照。）が設けられており、外窓Ａの室内側に設けられた上額縁９１に対してベース部１１ａの裏面を接着テープａ等により接着することにより、上額縁９１に対して直接固定されている。
【００１０】
サッシの枠体１を構成する樹脂製の右、左縦枠１３，１４は、建物開口部に固定されるベース部１３ａ，１４ａを備え、ベース部１３ａ，１４ａの内周面の見込み方向略中央部より内周方向に延設される中央壁１３ｂ，１４ｂが設けられている。
中央壁１３ｂ，１４ｂの内周方向先端部の両側部は、内、外障子２，３の閉塞時に、内、外障子２，３の戸先框に当接するタイト部となっているとともに、中央壁１３ｂ，１４ｂの下端には、切欠部１３ｃ，１４ｃが形成されている。
そして、窓の室内側に設けられた右、左額縁９３，９４に対してベース部１３ａ，１４ａの裏面を接着テープ等により接着することにより、右、左額縁９３，９４に対して直接固定されている。
【００１１】
（下枠の構成）
サッシの枠体１を構成する下枠１２は、樹脂製のプレート部材１２１と、障子を支えて障子の荷重を下方に分散伝達させるアルミ合金等の金属製のレール部材１２２とにより構成されており、樹脂製の上枠１１、右、左縦枠１３，１４と樹脂製のプレート部材１２１とにより、窓枠の四周に亘る断熱構造を形成している。そして、下枠アタッチメント４を介して、下額縁９２に対して固定されている。
【００１２】
下枠アタッチメント４は長尺状の部材からなり、上面にプレート部材１２１を載置する平板状の載置部４１を備え、載置部４１の室外側端に沿って一段高い段部４２が形成されている。段部４２には、取付け穴が設けられており、建物の開口部を構成する下額縁９２に設けられた取付用の穴と位置合わせしてビス等により固定することができる。
【００１３】
載置部４１の下面には、長手方向の全長にわたって室内外に２条のスペーサ５１，５２が配置されており、室内側のスペーサ５２には下面に二枚の剥離部５２ａ，５２ａが積層して形成してある。
浴室の開口部上面は、水が浴室内へ戻るように浴室内側に向けて下方に傾斜して形成されることがある。そのような場合に、開口部上面の傾斜に合わせて載置部４１の下面に配置された室内側のスペーサ５２の剥離部５２ａ，５２ａを適宜数剥離して、下枠アタッチメント４の上面が水平となるように設置することができる。
【００１４】
載置部４１の室内側端の下面には、室外側のスペーサ５１の下面と略同じ高さの水平部５３が設けられている。また、室内側端の上面には、立上り壁４１ａが形成されており、載置部４１の上面に右、左縦枠１３，１４及びプレート部材１２１を載置した際に、右、左縦枠１３，１４及びプレート部材１２１の見込み方向位置合わせを行うと共に、室内方向への脱落を防止している。
【００１５】
プレート部材１２１は、略平板状の長尺部材からなり、その下面には、見込み方向の中央部に長手方向に沿って載置面１２１ａが形成され、載置面１２１ａの両側は接着テープ等の接着部材を配置する凹部１２１ｂ，１２１ｂとして形成されている。さらに、凹部１２１ｂ，１２１ｂの外側には、下向きにタイト材１２１ｃ，１２１ｃが設けられている。そして、プレート部材１２１の載置面１２１ａの上面側には、長手方向に沿ってレール部材１２２を嵌合する嵌合凹部１２１ｄが形成されている。
このように、プレート部材１２１には、レール等の見付け方向に延設される部材を備えておらず、また、樹脂により形成されているので、柔軟性を備えて簡単に撓ませることができる。
【００１６】
レール部材１２２は、内、外障子案内レール（内、外障子走行部）１２２ａ，１２２ｂと、内、外障子案内レール１２２ａ，１２２ｂの下端部を連結する連結プレート部１２２ｃとにより構成されており、連結プレート部１２２ｃの左右両端には、その見込み方向中央部に切欠部１２２ｄ，１２２ｄが形成されている。
【００１７】
内、外障子案内レール１２２ａ、１２２ｂは、その内方面（対向する面）が鉛直面１２２ｅで形成され、その外方面はレールの高さ方向中央付近を外側に膨張させて、膨張部１２２ｆがレールの上端と付け根部分と比較して幅広になるように形成されている。
一般に、アルミ等金属製のレールは強度が高いので樹脂製のレールよりも幅が狭く、樹脂製の下枠に対応した障子を用いると下框のタイト材をレールに対して十分に当てることができないが、内、外障子案内レール１２３ａ，１２３ｂの高さ方向中央付近に膨張部１２２ｆを形成して樹脂製の下枠レールの厚さと同一とすることで、下框のタイト材をレールに対して十分に当てることができ、商品の兼用化を可能とすることができる。
そして、レールの付け根部分等は薄肉に形成されているので、アルミニウム材料の節約をはかることができる。
また、内、外案内レールの内方面を鉛直面１２２ｅとすることにより、内外レール間を膨張部分が存在しない断面形状とすることができるので、へら等による清掃を容易にするとともに、召合せ部に配置する気密ピースの設置も簡単、かつ、安定して行うことができる。
【００１８】
レール部材１２２の下面には、長さ方向に沿って複数の突条１２２ｇ，１２２ｇが形成されており、レール部材１２２をプレート部材１２１の嵌合凹部１２１ｄに嵌合固定する際に、両者間に塗布するコーキング材や接着剤との接着性を向上させている。
【００１９】
−下枠の取付方法−
図５乃至７を参照しながら、本発明の実施形態のサッシの枠体を建物の開口部へ取付ける方法を説明する。
【００２０】
枠体１の取付けに先だって、既設の開口部に対して、下枠アタッチメント４、が取り付けられる。下枠アタッチメント４は、下額縁９２の傾斜に合わせて室内側のスペーサ５２の剥離部５２ａを剥離して、上面が水平となるように設置される。そして、段部４２に形成された取付け穴と下額縁９２等開口部のネジ穴とを一致させてネジ等により固定すると共に、水平部５３の下面を接着テープ等により接着することにより、下額縁９２に固定する。
【００２１】
下枠アタッチメント４が固定された開口部に対して、右、左縦枠１３，１４が固定される。右、左縦枠１３，１４は、室内側より下枠アタッチメント４の載置部４１の両側端の上面に載置され、矢印アのように右、左額縁９３，９４の内周面に押しつけることで、右、左縦枠１３，１４の裏面に貼り付けてある接着テープａ等により開口部の右、左額縁９３，９４に直接接着して固定される。
【００２２】
次に、右、左縦枠１３，１４の間に、下枠のプレート部材１２１を配置する。
プレート部材１２１は樹脂製の平板状の部材により構成されているので、プレート部材１２１は作業者の力により容易に撓ませることができる。そして、樹脂製のプレート部材１２１を撓ませた状態で右、左縦枠１３，１４間に配置して、矢印イのように、プレート部材１２１の端部を右、左縦枠１３，１４の中央壁１３ｂ，１４ｂの下端に形成された切欠部１３ｃ，１４ｃに挿入させて、プレート部材１２１の両端面が右、左縦枠１３，１４の内周面と直接対向するように配置する。
プレート部材１２１は、その下面に配置された接着テープ等により、下枠アタッチメント４の載置部４１に安定して取り付けることができる。
【００２３】
そして、プレート部材１２１の上面にレール部材１２２を載置固定する前に、右、左縦枠１３，１４と対向して配置されたプレート部材１２１の両端部をシーリングすることにより、シーリング作業に内、外障子案内レール１２２ａ，１２２ｂが邪魔にならず、また、単純な形状のシーリングにより、窓枠隅部の突き合わせ部のシーリング作業を行うことができる。
【００２４】
次に、プレート部材１２１の上面にレール部材１２２を取付ける。連結プレート部１２２ｃの左右両端に形成された切欠部１２２ｄ，１２２ｄに右、左縦枠１３，１４の中央壁１３ｂ，１４ｂを飲み込ませた状態で、プレート部材１２１の上面に落としていくことにより、レール部材１２２の連結プレート部１２２ｃを嵌合凹部１２１ｄに嵌合することができる。そのため、レール部材１２２がプレート部材１２１に対して、簡単に位置決めできる。
また、レール部材１２２を嵌合凹部１２１ｄに嵌合するに先立って、嵌合凹部１２１ｄにコーキング材を充填しておく。レール部材１２２の下面には、複数の突条１２２ｇ，１２２ｇが形成されているので、突条１２２ｇ，１２２ｇ間に嵌合凹部１２１ｄのコーキング材が入りこんで両者を安定して接着固定することができる。
なお、プレート部材１２１とレール部材１２２との取付けは、プレート部材１２１に設けた嵌合凹部１２１ｄに限られるものではなく、レール部材に凹部を設けてもよいし、複数の独立した凹部を形成してもよく、プレート部材１２１に対してレール部材１２２を取り付けることができれば、その手段に制限はない。
【００２５】
レール部材１２２の連結プレート部１２２ｃは、内、外案内レール間と同等の幅広形状であるので、内、外障子案内レール１２２ａ，１２２ｂにより支持される障子の重量等は、連結プレート部１２２ｃの下面全体に分散されてプレート部材１２１に伝達される。したがって、樹脂製のプレート部材１２１に対して偏った荷重をかけて変形させたりすることなく、また、長期の使用による変形や破損を抑制することができる。
さらに、レール部材１２２は、プレート部材１２１に対して載置されてコーキング材により取付けられているので、レール部材１２２が損傷した場合に大がかりな改修作業を必要とせず、容易に交換することができる。
【００２６】
最後に、上枠１１を矢印エに示すように、右、左縦枠１３，１４間に挿入し、ベース部１１ａに形成された切欠ｂで左縦枠１４の中央壁１４ｂを飲み込むように右、左縦枠１３，１４の間に配置させて、ベース部１１ａの裏面に取り付けた接着テープａによって、上額縁９１に接着固定する。
【００２７】
以上のように、本件発明のサッシの下枠は、断熱性能を受け持つ樹脂製のプレート部材１２１と障子の車輪からの荷重の支えて下方に分散させて伝えるレール部材１２２とが別体で形成されているので、断熱性能を維持しながら、強度の高い下枠を構成することができる。
そして、プレート部材１２１は簡単に撓ませて右、左縦枠１３，１４の間に配置して固定することができるので、右、左縦枠間に下枠を配置するときに縦枠や下枠に大きな工作が必要なく、縦枠内周面に対するプレート部材の当接部の形状が複雑にならず、また、シーリングを簡単に行うことができ施工性を向上させることができる。
【符号の説明】
【００２８】
１              枠体
１１          上枠
１２          下枠
１２１      プレート部材
１２１ａ  載置面
１２１ｂ  凹部
１２１ｃ  タイト材
１２１ｄ  嵌合凹部
１２２      レール部材
１２２ａ  外障子走行レール
１２２ｂ  内障子案内レール
１２２ｃ  連結プレート部
１２２ｄ  切欠部
１２２ｅ  突条
１３          右縦枠
１３ａ      ベース部
１３ｂ      中央壁
１４  
１４ａ      ベース部
１４ｂ      中央壁
１４ｃ      切欠部
２              内障子
３              外障子
４              下枠アタッチメント
４１          載置部
４１ａ      立上り壁
４２          段部
９１            上額縁
９２            下額縁
９３            右額縁
９４            左額縁
【図１】
2016050475.tif 000003
【図２】
2016050475.tif 000004
【図３】
2016050475.tif 000005
【図４】
2016050475.tif 000006
【図５】
2016050475.tif 000007
【図６】
2016050475.tif 000008
【図７】
2016050475.tif 000009